(57)【要約】      （修正有）【課題】ベゼルレス液晶ディスプレイ装置に関し、特にベゼルを減らし、画面サイズを大きくできるベゼルレス液晶ディスプレイ装置を提供する。【解決手段】非球面レンズ部１１を一体的に形成した表面カバーガラス１の下面周縁部に側面カバーガラス３の上端部を一体的に結合し、表面カバーガラスと側面カバーガラスの内側に、液晶パネル４とタッチパネル２を収納して構成したことを特徴とし、表面カバーガラスの周縁部に非球面レンズ部が一体的に形成されており、表面カバーガラスの下面周縁部に当接された側面カバーガラスの上端部が、非球面レンズ部の光学特性によって表面カバーガラスの上面から視認できないように構成したことを特徴とし、表面カバーガラスの周縁部に一体的に形成された非球面レンズ部がマイクロブラスト加工で精密加工されたことを特徴とする。【選択図】図３
0003187167.tif 000002
【実用新案登録請求の範囲】
【請求項１】
非球面レンズ部を一体的に形成した表面カバーガラスの下面周縁部に側面カバーガラスの上端部を一体的に結合し、表面カバーガラスと側面カバーガラスの内側に、液晶パネルとタッチパネルを収納して構成したことを特徴とするベゼルレス液晶ディスプレイ装置。
【請求項２】
表面カバーガラスの周縁部に非球面レンズ部が一体的に形成されており、表面カバーガラスの下面周縁部に当接された側面カバーガラスの上端部が、非球面レンズ部の光学特性によって表面カバーガラスの上面から視認できないように構成したことを特徴とする請求項１記載のベゼルレス液晶ディスプレイ装置。
【請求項３】
表面カバーガラスの周縁部に一体的に形成された非球面レンズ部がマイクロブラスト加工で精密加工されたことを特徴とする請求項１記載のベゼルレス液晶ディスプレイ装置。
【考案の詳細な説明】
【技術分野】
【０００１】  本考案はベゼルレス液晶ディスプレイ装置に関し、特にベゼルを減らし、画面サイズを大きくすることのできるベゼルレス液晶ディスプレイ装置に関する。
【背景技術】
【０００２】  電子ディスプレイの表示画面または表示部を取り囲むベゼルとは、いわゆる表示画面の枠であるが、この枠をなくした表示画面を一般的にベゼルレス画面、ボーダーレス画面またはフレームレス画面と称し、画面サイズを大きくする開発が進んでいる。【０００３】  特にスマートフォンのような液晶ディスプレイ装置では、画面サイズを大きくすると共に、ベゼルを減らせば端末の横幅を抑えられ、片手での操作性を向上できるので、このような開発がなされ、たとえ１ｍｍでもベゼルの幅を減らすことを目標に製品開発が進められている。
【先行技術文献】
【０００４】
【特許文献】
【特許文献】  特許第４４８６４９８号公報  特許第４６９８３０９号公報
【０００５】  前記せる特許第４４８６４９８号公報には、電子表示装置に隣接して配置されるカバーであって、画像表示部に隣接して配置される第１の部分と第２の部分とを含み、前記第１の部分と第２の部分とが光学特性を有し、表示装置が画像を表示していない時には、ベゼルの無い均一なカバーの外観を呈するように選択され、前記第１の部分の光学特性が、電子表示装置の表示部に表示される画像の透過に関しても選択されるカバーとを含むベゼルの無い電子ディスプレイが記載されている。【０００６】  また、前記せる特許第４６９８３０９号公報では、ベゼルレス液晶基板とフレキシブル材料で接続された液晶ドライバー基板と液晶ドライバー基板を係止して起立支持する支持部と、ベゼルレス液晶基板をフロントキャビネット側と挟持固定するための固定ホルダー枠と、固定ホルダー枠に設けられた押圧部とを有し、液晶ドライバー基板を挟持固定する薄型ディスプレイパネル構体が記載されている。【０００７】  これに対し、本考案では簡単な構造でベゼルレス液晶ディスプレイ装置を実現するものであって、非球面レンズ部の光学特性によって表面カバーガラスの上面から表示画像の枠体が視認できないように構成したものである。
【考案の概要】
【考案が解決しようとする課題】
【０００８】  種々の電子機器に適応されている液晶ディスプレイ装置に於いて、特にスマートフォンのような液晶ディスプレイ装置では、画面サイズを大きくすると共に、ベゼルを減らせば端末の横幅を抑えられ、片手での操作性を向上できるので、このような開発がなされ、たとえ１ｍｍでもベゼルの幅を減らすことを目標に製品開発が求められている。
【課題を解決するための手段】
【０００９】  本考案は前記せる課題を以下の構成によって解決するものである。
すなわち、非球面レンズ部を一体的に形成した表面カバーガラスの下面周縁部に側面カバーガラスの上端部を一体的に結合し、表面カバーガラスと側面カバーガラスの内側に、液晶パネルとタッチパネルを収納して構成したことを特徴とし、表面カバーガラスの周縁部に非球面レンズ部が一体的に形成されており、表面カバーガラスの下面周縁部に当接された側面カバーガラスの上端部が、非球面レンズ部の光学特性によって表面カバーガラスの上面から視認できないように構成したことを特徴とし、表面カバーガラスの周縁部に一体的に形成された非球面レンズ部がマイクロブラスト加工で精密加工されたことを特徴とする液晶ディスプレイ装置を提供する。
【考案の効果】
【００１０】  本考案のベゼルレス液晶ディスプレイ装置は、以上説明したような構成であるので、簡単な構造で、表面カバーガラスの周縁部に一体的に形成された非球面レンズ部がマイクロブラスト加工で精密加工されており、非球面レンズ部の光学特性によって表面カバーガラスの上面から枠体が視認できないように構成されているので、ベゼルを無くし画面サイズを大きくすることができる。
【図面の簡単な説明】
【００１１】
【図１】  本考案ベゼルレス液晶ディスプレイ装置の部分断面図である。
【図２】  本考案ベゼルレス液晶ディスプレイ装置の部分斜視図である。
【図３】  図１の部分拡大図である。
【図４】  カバーガラスを除いた液晶ディスプレイ装置の平面図である。
【図５】  液晶ディスプレイ装置にカバーガラスを部分的に積層した平面図である。
【図６】  携帯電話の従来表示面である。
【図７】  携帯電話の本考案表示面である。
【考案を実施するための形態】
【００１２】  図１乃至図３に示すように、表面カバーガラス１の周縁部には表面カバーガラスの非球面レンズ部１１が表面カバーガラス１と一体的に形成されている。
【００１３】  表面カバーガラス１と側面カバーガラス３の内側には、液晶パネル４とタッチパネル２とが積層されて収納されている。
【００１４】  表面カバーガラス１の周縁部に非球面レンズ部１１が一体的に形成されており、表面カバーガラス１の下面周縁部にはタッチパネル２を介して、側面カバーガラス３の上端部３１が当接されている。
【００１５】図３に示すように、非球面レンズ部１１の光学特性によって、側面カバーガラス３の上端部３１の画像は矢印Ｂの方向に屈折されて、表面カバーガラス１の上面矢印Ａからは該側面カバーガラス３の上端部３１は視認できないように構成されている。
【００１６】  表面カバーガラス１の周縁部に一体的に形成された非球面レンズ部１１はマイクロブラスト加工によって精密加工されて形成されている。
【００１７】  従来、ブラスト加工と言えば、バリ取りや鋳造後の砂落し、表面粗しといった比較的ラフな仕上げ加工に用いられてきたが、そのブラスト加工に精度の概念を導入し、定量的な加工を可能にしたものがマイクロブラスト加工であるが、微細加工技術のひとつとして適応が盛んになっており、このマイクロブラスト加工によって前記せる表面カバーガラス１の周縁部に一体的に形成された非球面レンズ部１１が精密加工されて形成されている。
【００１８】  図４は表面カバーガラス１を除いた液晶ディスプレイ装置１０の平面図であり、図５は液晶ディスプレイ装置１０に表面カバーガラス１を部分的に積層した平面図である。
【００１９】  図１に於いては、タッチパネル２の周縁部に側面カバーガラス上端部３１が枠体のように表示されているが、図５に示すように表面カバーガラス１が部分的に載置されると、表面カバーガラス１の載置部では枠体のように表示された側面カバーガラス上端部３１は視認されなくなる。
【００２０】  これは前述した非球面レンズ部の光学特性によって、側面カバーガラス３の上端部３１の画像は矢印Ｂの方向に屈折されて、表面カバーガラス１の上面から側面カバーガラス上端部３１が視認できないように構成されているためである。
【００２１】  その結果、図５に示す従来の携帯電話５の表示面５１より図７に示す本考案に基づく携帯電話６の表示面６１の表示幅を大きくすることができる。
【産業上の利用可能性】
【００２２】  本考案は以上説明したような構成であるので、図７に示すように画面サイズを大きくすると共に、ベゼルを減らし端末の横幅を抑えられ、片手での操作性を向上できるので、産業上の利用可能性が大きい。
【符号の説明】
【００２３】  １  表面カバーガラス
１０  液晶ディスプレイ装置
１１  カバーガラスの非球面レンズ部
２  タッチパネル
３  側面カバーガラス
３１  側面カバーガラス上端部
４  液晶パネル
５  携帯電話
５１  表示面
６  携帯電話
６１  表示面
【図１】
0003187167.tif 000003
【図２】
0003187167.tif 000004
【図３】
0003187167.tif 000005
【図４】
0003187167.tif 000006
【図５】
0003187167.tif 000007
【図６】
0003187167.tif 000008
【図７】
0003187167.tif 000009